(57)【要約】【課題】グリル装置を備えた加熱調理器において、グリル皿の有無を正確かつ短時間に検知すること。【解決手段】グリル室３内に電磁誘導加熱によりグリル皿２を加熱する第１の加熱手段５による加熱が可能なグリル皿２が載置されていることを、第１の加熱手段５及び第２の加熱手段７が動作するグリル調理動作中だけでなく、グリル調理終了後においてもグリル皿検知動作を行い、グリル皿検知手段８からの出力により、制御手段９が加熱可能なグリル皿２がグリル室３内にあると判断すると、制御手段９が報知手段１１により報知すること。【選択図】図２
2016185186.tif 000002
【特許請求の範囲】
【請求項１】
グリル装置を備えた加熱調理器であって、
前記グリル装置には、室内に調理物を載置するグリル皿を着脱自在に配するグリル室と、電磁誘導加熱により前記グリル皿を加熱する第１の加熱手段と、発熱体である電気ヒーターからなる第２の加熱手段と、前記第１の加熱手段により前記グリル皿の検知動作を行うグリル皿検知手段と、前記第１の加熱手段及び前記第２の加熱手段を駆動してグリル調理を行う制御手段と、使用者により機器が設定され、前記制御手段に指令を送る操作手段と、報知を行う報知手段と、を備え、
前記グリル室内に前記第１の加熱手段による加熱が可能な前記グリル皿が載置されていることを、前記第１の加熱手段及び前記第２の加熱手段が動作するグリル調理動作中だけでなく、グリル調理終了後においても前記グリル皿検知手段により前記グリル皿の検知動作を行い、前記制御手段は、前記グリル皿検知手段からの出力により、加熱可能な前記グリル皿が前記グリル室内にあると判断すると、前記報知手段により報知する加熱調理器。
【請求項２】
計時手段を備え、前記制御手段は、グリル調理終了後から前記計時手段で計時し、一定の期間、一定の間隔で前記グリル皿検知手段による前記グリル皿の検知動作を有効とした請求項１に記載の加熱調理器。
【請求項３】
前記グリル室内の温度を検出する温度検出手段を備え、前記制御手段は、グリル調理終了後の前記温度検出手段からの出力値をもとに、ある一定の温度を下回るまで前記グリル皿検知手段による前記グリル皿の検知動作を有効とした請求項１に記載の加熱調理器。
【請求項４】
前記制御手段は、グリル調理終了後の前記グリル皿検知手段からの出力により、一度グリル皿が取り出されたと判断した場合、それ以降の前記グリル皿の検知動作を無効とした請求項１に記載の加熱調理器。
【請求項５】
前記制御手段は、前記グリル皿検知手段により前記グリル皿の検知動作を行う際には、前記第２の加熱手段を駆動させない構成とした請求項１〜４のいずれか１項に記載の加熱調理器。
【請求項６】
表示手段を備え、前記制御手段は、前記グリル皿検知手段からの出力により、前記報知手段により報知するとともに、前記グリル皿検知手段からの出力により、前記表示手段に表示を行う請求項１に記載の加熱調理器。
【請求項７】
前記グリル皿検知手段からの出力により、加熱可能な前記グリル皿が前記グリル室内にないと判断した場合、前記制御手段は、前記報知手段により報知するとともに、前記操作手段が操作されるとグリル調理をする際に有効となるスイッチの操作を無効とした請求項１に記載の加熱調理器。
【発明の詳細な説明】
【技術分野】
【０００１】
本発明は、一般家庭のキッチンや業務用の厨房等で使用される、グリル装置を備えた加熱調理器に関するものである。
【背景技術】
【０００２】
従来この種の加熱調理器におけるグリル装置の概略構成は、グリル装置内に調理室を配し、この調理室の周囲に加熱のための熱源を配し、調理物を載置するグリル皿を調理室内に収納し、グリル扉により調理室前面を開閉するものである。
【０００３】
この種のグリル装置においては、調理性能や安全性の確保のために「グリル皿の有無」を判断して加熱を止める機能が付加されているものがある。その手段としては、温度センサにより加熱時の調理室内の温度変化を監視することでグリル皿の有無を検知するものである。
【０００４】
図５は、従来の加熱調理器のグリル装置の概略構成を示すものである。
【０００５】
図５の装置は加熱時の調理室内の温度推移により状態を判断するもので、調理室３１の内部に温度センサ３２を設け調理室内の温度を測定している（例えば、特許文献１参照）。
【先行技術文献】
【特許文献】
【０００６】
【特許文献１】特開２０１０−２０３６２５号公報
【発明の概要】
【発明が解決しようとする課題】
【０００７】
しかしながら、前記従来の構成では、グリル皿の有無を検知するためにはある程度の時間が必要となる課題を有していた。
【０００８】
本発明は、前記従来の課題を解決するもので、グリル皿の有無を正確かつ短時間に検知することで使用者の利便性を向上させるとともに、安全性と信頼性をも確保した加熱調理器を提供することを目的とする。
【課題を解決するための手段】
【０００９】
前記従来の課題を解決するために、本発明の加熱調理器は、グリル装置を備えた加熱調理器であって、前記グリル装置には、室内に調理物を載置するグリル皿を着脱自在に配するグリル室と、電磁誘導加熱により前記グリル皿を加熱する第１の加熱手段と、発熱体である電気ヒーターからなる第２の加熱手段と、前記第１の加熱手段により前記グリル皿の検知動作を行うグリル皿検知手段と、前記第１の加熱手段及び前記第２の加熱手段を駆動してグリル調理を行う制御手段と、使用者により機器が設定され、前記制御手段に指令を送る操作手段と、報知を行う報知手段と、を備え、前記グリル室内に前記第１の加熱手段による加熱が可能な前記グリル皿が載置されていることを、前記第１の加熱手段及び前記第２の加熱手段が動作するグリル調理動作中だけでなく、グリル調理終了後においても前記グリル皿検知手段により前記グリル皿の検知動作を行い、前記制御手段は、前記グリル皿検知手段からの出力により、加熱可能な前記グリル皿が前記グリル室内にあると判断すると、前記報知手段により報知するものである。
【発明の効果】
【００１０】
本発明の加熱調理器は、グリル皿の有無を短時間で検知することができ、加熱中だけでなく、機器が通電状態にある場合は、定期的に行うことにより、グリル調理の開始前やグリル調理終了後に使用者にグリル皿の有無をお知らせすることができ、使用者の利便性を向上させるとともに、従来技術のようにグリル皿無し状態で長時間加熱することがなく、従来技術を用いた加熱調理器よりも安全性を確保することができる。
【図面の簡単な説明】
【００１１】
【図１】本発明の実施の形態における加熱調理器のグリル装置の全体斜視図
【図２】本発明の実施の形態１、３、４、５、７における加熱調理器のグリル装置の回路ブロック図
【図３】本発明の実施の形態２における加熱調理器のグリル装置の回路ブロック図
【図４】本発明の実施の形態６における加熱調理器のグリル装置の回路ブロック図
【図５】従来の加熱調理器のグリル装置の断面図
【発明を実施するための形態】
【００１２】
第１の発明は、グリル装置を備えた加熱調理器であって、前記グリル装置には、調理物を載置するグリル皿を着脱自在に配するグリル室と、電磁誘導加熱により前記グリル皿を加熱する第１の加熱手段と、ヒーター等の発熱体からなる第２の加熱手段と、前記第１の加熱手段により前記グリル皿の検知動作を行うグリル皿検知手段と、前記第１の加熱手段及び前記第２の加熱手段を駆動してグリル調理を行う制御手段と、使用者により機器が設定され、前記制御手段に指令を送る操作手段と、報知を行う報知手段と、を備え、前記グリル室内に前記第１の加熱手段による加熱が可能な前記グリル皿が載置されていることを、前記第１の加熱手段及び前記第２の加熱手段が動作するグリル調理動作中だけでなく、グリル調理終了後においても前記グリル皿検知手段により、前記グリル皿の検知動作を行い、前記制御手段は、前記グリル皿検知手段からの出力により、前記制御手段が加熱可能な前記グリル皿が前記グリル室内にあると判断すると、前記報知手段により報知することができ、使用者の調理物取り忘れ防止等の利便性を向上させるとともに、従来技術のようにグリル皿無し状態で長時間加熱する必要がなく、従来技術を用いた加熱調理器よりも安全性を確保することができる。
【００１３】
第２の発明は、特に、第１の発明に加え、計時手段を備え、前記制御手段は、グリル調理終了後から前記計時手段で計時し、一定の期間、一定の間隔で前記グリル皿検知手段による前記グリル皿の検知動作を有効とすることで、使用者の調理物取り忘れ防止等の利便性を向上させるとともに、従来技術のようにグリル皿無し状態で長時間加熱する必要がなく、従来技術を用いた加熱調理器よりも安全性を確保することができる。
【００１４】
第３の発明は、特に、第１の発明において、前記グリル室の温度を検出する温度検出手段を備え、グリル調理終了後の前記温度検出手段からの出力値をもとに、ある一定の温度を下回るまで前記グリル皿検知手段による前記グリル皿の検知動作を有効としたことで、使用者の調理物取り忘れ防止等の利便性を向上させるとともに、従来技術のようにグリル皿無し状態で長時間加熱する必要がなく、従来技術を用いた加熱調理器よりも安全性を確保することができる。
【００１５】
第４の発明は、特に、第１の発明に加え、前記制御手段は、グリル調理終了後の前記グリル皿検知手段からの出力により、一度グリル皿が取り出されたと判断した場合、それ以降の前記グリル皿の検知動作を無効とすることで、グリル調理を終了した調理物を一回取り出したあとの繰り返される報知を防止することができ、使用者の煩わしさを低減することができる。
【００１６】
第５の発明は、特に、第１〜４のいずれか１つの発明に加え、前記制御手段は、前記グリル皿検知手段により前記グリル皿の検知動作を行う際には、前記第２の加熱手段を駆動させないようにすることで、グリル皿や調理物への不要な熱がかからなくすることができ、火傷や調理物の失敗を防止することができる。
【００１７】
第６の発明は、特に、第１の発明に加え、表示手段を備え、前記制御手段は、前記グリル皿検知手段からの出力により、前記報知手段により報知するとともに、前記グリル皿検知手段からの出力により、前記表示手段に表示を行うことにより、使用者により確実に認識させることができる。
【００１８】
第７の発明は、特に、第１の発明において、前記グリル皿検知手段からの出力により、加熱可能な前記グリル皿が前記グリル室内にないと判断した場合、前記制御手段は、前記報知手段により報知するとともに、前記操作手段が操作されるとグリル調理をする際に有効となるスイッチの操作を無効とすることで、使用者により安全な調理器を提供することができる。
【００１９】
以下、本発明の実施の形態について、図面を参照しながら説明する。なお、この実施の形態によって本発明が限定されるものではない。
【００２０】
（実施の形態１）
図１は本発明の実施の形態１におけるグリル装置の全体斜視図であり、図２は本発明の実施の形態１におけるグリル装置の回路ブロック図である。
【００２１】
図１において、調理物１を載置したグリル皿２がグリル室３内に収納され、グリル扉４によりグリル室３は閉じられる。調理物１はグリル室３の外側下面に配置されている第１の加熱手段５（図１には図示せず）と外側上面に配置されている第２の加熱手段７（図１には図示せず）により加熱調理される。
【００２２】
図２においてグリル装置の回路は、電磁誘導加熱を行う第１の加熱手段５と、商用交流電源６と、第２の加熱手段７（例えばヒーター等の発熱体）と、グリル皿検知手段８と、商用交流電源６から電源を供給し第１の加熱手段５と第２の加熱手段７を駆動して所定のグリル調理を行う制御手段９と、使用者が操作を行いその操作に基づいて制御手段９に指令を行う操作手段１０と、報知手段１１と、グリル室３内の温度を検出する温度検出手段１２と、により構成するものである。
【００２３】
以上の構成からなるグリル装置のグリル調理中における動作について図２のブロック図を用いて説明する。
【００２４】
使用者が操作手段１０のグリル調理を選択し、グリル調理を開始すると、グリル室３内にある調理物１が載ったグリル皿２を、グリルの自動調理、手動、オーブン等の調理モードに応じて、制御手段９により、第１の加熱手段５の出力値と駆動時間比、第２の加熱手段７の駆動時間と駆動時間比、また第１の加熱手段５と第２の加熱手段７の駆動タイミングの組み合わせ方も変えながら調理を行っている。さらに、グリル室３内の温度を検出する温度検出手段１２により、各メニューによって設定されたグリル室３内温度に応じて、前記同様、第１の加熱手段５の出力値と駆動時間比、第２の加熱手段７の駆動時間と駆動時間比、また第１の加熱手段５と第２の加熱手段７の駆動タイミングの組み合わせ方も変えながら制御をおこなっている。
【００２５】
グリル皿検知手段８は、第１の加熱手段５の駆動により、例えば、第１の加熱手段５への入力電流と第１の加熱手段５内の加熱コイルと共振する共振コンデンサの電圧を検知し
、制御手段９へ出力するというグリル皿２の検知動作を行う。制御手段９では、入力電流と共振コンデンサ電圧の組み合わせによってグリル皿２の有無を検知している。例えば、グリル皿２が配置されている場合、グリル皿２に電磁誘導により渦電流が流れ、入力電流が大で、共振コンデンサ電圧が小となる。そして、グリル皿２が配置されていない場合は、入力電流が小で、共振コンデンサ電圧が大となり、このような特性の差異によりグリル皿２の有無を判定している。なお、第１の加熱手段５を構成する部品の他の電気特性、例えば、加熱コイル電流、を検知して、グリル皿２の有無を検知してもよい。
【００２６】
このことにより制御手段９はグリル室３内に第１の加熱手段５による加熱が可能なグリル皿２が配置されているかどうかを識別する。グリル皿検知手段８が検知動作を行うのは、グリル調理を開始した直後、さらには調理中にも検知を行い、調理途中で使用者がグリル扉４を開けた場合にも検知できるようになっている。グリル皿２の検知を行い、グリル室３内にグリル皿２があると制御手段９が判断した場合には、通常の加熱動作を行い、ないと判断した場合には、第１の加熱手段５により加熱を一時的に停止する処理を行い、報知手段１１により報知を行う。さらに、調理終了後においても、第１の加熱手段５を短時間だけ駆動させ、グリル皿２の有無の検知を行い、グリル室３内にグリル皿２があると制御手段９が判断した場合は、報知手段１１により報知を行う。
【００２７】
以上のように、本実施の形態においてはグリル室３内に電磁誘導加熱による第１の加熱手段５で加熱可能なグリル皿２が配置されていることをグリル皿検知手段８により正確かつ短時間で検知することができるので、グリル調理中においては、グリル皿２がグリル室３内にないと制御手段９が判断した場合、グリル調理終了後においては、グリル皿２がグリル室３内にあると制御手段９が判断した場合には、報知手段１１により報知させることができるので、使用者の調理物１の取り忘れ防止等の利便性を向上させるとともに、機器の使い勝手向上と安全性を向上することができる。
【００２８】
（実施の形態２）
本発明の実施の形態２におけるグリル装置の全体斜視は図１と同じであり、本発明の実施の形態２におけるグリル装置の回路ブロック図は図３である。
【００２９】
以上の構成からなるグリル装置のグリル調理中における動作について図３のブロック図を用いて説明する。
【００３０】
本発明の実施の形態１と異なるところは、実施の形態１に加え、制御手段９に計時手段１３を設けた部分であり、基本的な動作は、実施の形態１と同じであるため省略し異なる部分のみ説明を行う。
【００３１】
グリル調理終了後において、第１の加熱手段５を短時間だけ駆動させ、グリル皿検知手段８にてグリル皿２の有無の検知を行うとともに、報知手段１１によって報知すると同時に、グリル調理終了後から、計時手段１３を動作させ計時を始める。一定の時間経過後、再度、第１の加熱手段５を短時間だけ駆動させ、グリル皿検知手段８により、グリル室３内にグリル皿２があると制御手段９が判断した場合は、報知手段１１により報知を行う。計時手段１３をある一定の期間、例えば５分間だけ有効とし、その間定期的、例えば１分毎に報知手段１１により報知させる。
【００３２】
以上のように、本実施の形態においては、グリル調理終了後から計時手段１３にて計時し、一定の期間、一定の間隔で、グリル室３内に電磁誘導加熱による第１の加熱手段５を短時間動作させ、加熱可能なグリル皿２が配置されていることをグリル皿検知手段８にて検知し、制御手段９が判断した場合に、都度報知することができるので、使用者の調理物１の取り忘れ防止等の利便性を向上させるとともに、機器の使い勝手向上と安全性を向上
することができる。
【００３３】
（実施の形態３）
本発明の実施の形態３におけるグリル装置の全体斜視は図１と同じであり、本発明の実施の形態３におけるグリル装置の回路ブロック図も図３と同じである。
【００３４】
以上の構成からなるグリル装置のグリル調理中における動作について図３のブロック図を用いて説明する。
【００３５】
本発明の実施の形態１と基本的な動作は、実施の形態１と同じであるため省略し異なる部分のみ説明を行う。
【００３６】
グリル調理終了後において、計時手段１３で計時を開始し、第１の加熱手段５を短時間だけ駆動させ、グリル皿検知手段８にてグリル皿２の有無の検知を行うとともに、報知手段１１によって報知すると同時に、グリル調理終了後の温度検出手段１２からの出力値をもとに、制御手段９によって換算された温度値がある一定の温度以下になるまで、計時手段１３に基づいた定期的な時間にて第１の加熱手段５を短時間駆動させ、グリル皿検知手段８により、グリル室３内にグリル皿２があると制御手段９が判断した場合は、報知手段１１により報知を行う。このように、グリル室３内の温度値がある一定の温度を下回るまでグリル皿検知動作を有効としたことで、使用者の調理物１の取り忘れ防止等の利便性を向上させるとともに、機器の使い勝手向上と安全性を向上することができる。
【００３７】
以上のように、本実施の形態においては、グリル調理終了後の温度検出手段１２からの出力値、すなわち温度値を検知し、その温度値がある一定の温度以下になるまでグリル室３内に電磁誘導加熱による第１の加熱手段５を短時間駆動させ、加熱可能なグリル皿２が配置されていることをグリル皿検知手段８にて検知し、制御手段９が判断した場合に報知することができるので、調理物１が冷めるまでの期間、一定の間隔で使用者に調理物１の取り忘れを促すことができ、機器の使い勝手向上と安全性を向上することができる。
【００３８】
（実施の形態４）
本発明の実施の形態４におけるグリル装置の全体斜視は図１と同じであり、本発明の実施の形態３におけるグリル装置の回路ブロック図も図３と同じである。
以上の構成からなるグリル装置のグリル調理中における動作について図３のブロック図を用いて説明する。
【００３９】
グリル調理終了後において、第１の加熱手段５を短時間だけ駆動させ、グリル皿検知手段８にてグリル皿２の有無の検知を行うとともに、報知手段１１によって報知する。その後、使用者によってグリル皿２が取り除かれた場合、計時手段１３に基づく一定の時間経過後、再度、第１の加熱手段５を短時間だけ駆動させ、グリル皿検知手段８により、グリル室３内にグリル皿２がないと制御手段９が判断した場合は、それ以降のグリル皿検知を停止する。
【００４０】
以上のように、本実施の形態においては、グリル調理終了後のグリル皿検知を、グリル皿２が取り除かれたと判断した場合、それ以降のグリル皿検知を停止するとしたことで、余計な動作を抑制することができ、機器の使い勝手向上と安全性を向上することができる。
【００４１】
（実施の形態５）
本発明の実施の形態５におけるグリル装置の全体斜視は図１と同じであり、本発明の実施の形態３におけるグリル装置の回路ブロック図も図３と同じである。
【００４２】
以上の構成からなるグリル装置のグリル調理中における動作について図３のブロック図を用いて説明する。
【００４３】
グリル皿検知を行う際には、第１の加熱手段５のみの駆動とし、第２の加熱手段７を駆動させない構成としたものである。
【００４４】
以上のように、本実施の形態においては、グリル皿検知を、第１の加熱手段５のみの駆動とし、第２の加熱手段７を駆動させない構成としたことで、余計なグリル室３内の温度上昇を抑制することができ、機器の使い勝手向上と安全性を向上することができる。
【００４５】
（実施の形態６）
本発明の実施の形態６におけるグリル装置の全体斜視は図１と同じであり、本発明の実施の形態３におけるグリル装置の回路ブロック図は図４である。
【００４６】
以上の構成からなるグリル装置のグリル調理中における動作について図４のブロック図を用いて説明する。
【００４７】
本発明の実施の形態１と異なるところは、実施の形態１に加え、制御手段９に表示手段１４を設けた部分であり、基本的な動作は、実施の形態１と同じであるため省略し異なる部分のみ説明を行う。
【００４８】
報知手段１１により報知を行う際に、同時に表示手段１４にも同様の内容の表示を行う。
【００４９】
以上のように、本実施の形態においては報知手段１１により報知するとともに、同時に表示手段１４にも表示させることができるので、使用者に調理物１の取り忘れ防止を視覚的にも促すことができ、機器の使い勝手向上と安全性を向上することができる。
【００５０】
（実施の形態７）
本発明の実施の形態７におけるグリル装置の全体斜視は図１と同じであり、本発明の実施の形態７におけるグリル装置の回路ブロック図は図２である。
【００５１】
以上の構成からなるグリル装置のグリル調理中における動作について図２のブロック図を用いて説明する。
【００５２】
基本的な動作は、実施の形態１と同じであるため省略し異なる部分のみ説明を行う。
【００５３】
グリル調理を始める際、操作手段１０のグリル調理を開始するスイッチ（例えば、グリルのメニュースイッチ）を押された場合、第１の加熱手段５を短時間だけ駆動させ、グリル皿検知手段８により、グリル室３内にグリル皿２がないと制御手段９が判断した場合は、報知手段１１により報知を行うとともに、操作手段１０のグリル調理をする際に有効となるスイッチを無効状態とする。
【００５４】
以上のように、本実施の形態においては、グリル皿検知手段８にてグリル室３内にグリル皿２がないと検知し、制御手段９が判断した場合は、報知手段１１により報知を行うとともに、操作手段１０のグリル調理をする際に有効となるスイッチを無効状態にすることで、使用者が認識せず使用を続けようとした場合にでも機器的に動作させないようにできるので、使用者のグリル皿２の入れ忘れを未然に防止することができ、機器の使い勝手向上と安全性を向上することができる。
【産業上の利用可能性】
【００５５】
以上のように、本発明にかかる加熱調理器は、グリル皿の有無を短時間で検知することができるので、電磁誘導加熱の加熱手段を設けた調理室のあるグリル装置を備えた加熱調理器全般に関して適用することができる。
【符号の説明】
【００５６】
１  調理物
２  グリル皿
３  グリル室
４  グリル扉
５  第１の加熱手段
６  商用交流電源
７  第２の加熱手段
８  グリル皿検知手段
９  制御手段
１０  操作手段
１１  報知手段
１２  温度検出手段
１３  計時手段
１４  表示手段
【図１】
2016185186.tif 000003
【図２】
2016185186.tif 000004
【図３】
2016185186.tif 000005
【図４】
2016185186.tif 000006
【図５】
2016185186.tif 000007